(57)【特許請求の範囲】
【請求項１】
光ケーブルのテンションメンバを固定するためのテンションメンバ固定具であって、
下向きコ字状に折り曲げられ、前後方向で対向する一対の第１壁部と、前記第１壁部の上端同士を連結する天井部とを有する基礎部材と、上向きコ字状に折り曲げられ、前後方向で対向する一対の第２壁部と、前記第２壁部の下端同士を連結する底部とを有する押さえ部材とを備え、前記基礎部材にネジ孔を、前記押さえ部材に取付孔を夫々設け、前記取付孔を介して前記ネジ孔へ螺入されるネジにより、前記基礎部材の上方に前記押さえ部材が前記基礎部材側へスライド可能に取り付けられているとともに、
前記基礎部材の前記天井部又は前記押さえ部材の底部の何れか一方に、前後方向の全域にわたってスリットが開設され、前記スリット内に露出した前記壁部の端面に凹面が形成されている一方、
何れか他方を切り欠くことで、前記壁部と一体に、且つ、前記第１壁部及び前記第２壁部と同一面上に形成され、先端が前記スリット内へ嵌入可能な一対の押さえ爪が突設されており、
前記取付孔を介して前記ネジ孔へ前記ネジを螺入させ、前記基礎部材と前記押さえ部材との間に間隔を空けておき、当該状態にある前記基礎部材の前記第１壁部間に前記テンションメンバを架け渡した状態において、前記ネジを更に螺入させることによって前記押さえ部材を前記基礎部材側へスライドさせ、前記テンションメンバを、前記押さえ爪の先端面と前記凹面とで挟み込んで固定可能としたことを特徴とするテンションメンバ固定具。
【請求項２】
前記押さえ爪の先端面に、凹面状の押さえ面を形成し、前記テンションメンバを前記押さえ面と前記凹面とで挟み込んで固定可能としたことを特徴とする請求項１に記載のテンションメンバ固定具。
【発明の詳細な説明】
【技術分野】
【０００１】
本発明は、たとえば光成端箱内等において、光ケーブルのテンションメンバを固定するためのテンションメンバ固定具に関するものである。
【背景技術】
【０００２】
従来、テンションメンバ固定具としては種々のものが考案されており、たとえば特許文献１に開示されているようなものが知られている。これは、切り欠き孔内を挿通させたテンションメンバに対し、その上方からネジをねじ込み、該ネジの先端部によりテンションメンバを孔の下面に押し付ける、すなわちネジの先端面と切り欠き孔の内面とで挟み込むことによってテンションメンバを固定可能としている。
【先行技術文献】
【特許文献】
【０００３】
【特許文献１】特開２００８−１５３７８号公報
【発明の概要】
【発明が解決しようとする課題】
【０００４】
しかしながら、上記従来のテンションメンバ固定具によれば、固定時にテンションメンバにネジの回転方向で負荷がかかるため、テンションメンバがほつれてしまい、外観が悪くなったり、ほつれたことにより固定が緩んでしまう等といった問題が生じてしまう。
【０００５】
そこで、本発明は、上記問題に鑑みなされたものであって、テンションメンバがほつれたりすることなく、確実に固定することができるテンションメンバ固定具を提供しようとするものである。
【課題を解決するための手段】
【０００６】
上記目的を達成するために、本発明のうち請求項１に記載の発明は、光ケーブルのテンションメンバを固定するためのテンションメンバ固定具であって、下向きコ字状に折り曲げられ、前後方向で対向する一対の第１壁部と、前記第１壁部の上端同士を連結する天井部とを有する基礎部材と、上向きコ字状に折り曲げられ、前後方向で対向する一対の第２壁部と、前記第２壁部の下端同士を連結する底部とを有する押さえ部材とを備え、前記基礎部材にネジ孔を、前記押さえ部材に取付孔を夫々設け、前記取付孔を介して前記ネジ孔へ螺入されるネジにより、前記基礎部材の上方に前記押さえ部材が前記基礎部材側へスライド可能に取り付けられているとともに、前記基礎部材の前記天井部又は前記押さえ部材の底部の何れか一方に、前後方向の全域にわたってスリットが開設され、前記スリット内に露出した前記壁部の端面に凹面が形成されている一方、何れか他方を切り欠くことで、前記壁部と一体に、且つ、前記第１壁部及び前記第２壁部と同一面上に形成され、先端が前記スリット内へ嵌入可能な一対の押さえ爪が突設されており、前記取付孔を介して前記ネジ孔へ前記ネジを螺入させ、前記基礎部材と前記押さえ部材との間に間隔を空けておき、当該状態にある前記基礎部材の前記第１壁部間に前記テンションメンバを架け渡した状態において、前記ネジを更に螺入させることによって前記押さえ部材を前記基礎部材側へスライドさせ、前記テンションメンバを、前記押さえ爪の先端面と前記凹面とで挟み込んで固定可能としたことを特徴とする。
請求項２に記載の発明は、請求項１に記載の発明において、前記押さえ爪の先端面に、凹面状の押さえ面を形成し、前記テンションメンバを前記押さえ面と前記凹面とで挟み込んで固定可能としたことを特徴とする。
【発明の効果】
【０００７】
本発明によれば、基礎部材にネジ孔を、押さえ部材に取付孔を夫々設け、取付孔を介してネジ孔へネジを螺入させることにより、基礎部材の上方に押さえ部材をスライド可能に取り付けており、取付孔を介してネジ孔へネジを螺入させ、基礎部材と押さえ部材との間に間隔を空けておき、当該状態にある基礎部材の第１壁部間に架け渡されたテンションメンバを、ネジを更に螺入させて押さえ部材を基礎部材側へスライドさせることによって、基礎部材と押さえ部材とで挟み込んで固定可能としている。そのため、テンションメンバを固定するに際して、従来の如くネジの回転方向への負荷がテンションメンバにかかったりすることがなく、テンションメンバがほつれたりしない。したがって、テンションメンバを固定した状態の外観がよい上、ほつれたことにより固定が緩んでしまう等といった事態の発生を防止することができる。
また、基礎部材の天井部又は押さえ部材の底部に、前後方向の全域にわたってスリットを開設し、スリット内に露出した壁部の端面に凹面を形成しており、テンションメンバをスリット内の凹面で固定するように構成している。したがって、スリットや凹面によって、押さえ爪により押さえ付けられたことで変形したテンションメンバが押さえ爪の先端面から左右へ大きくはみ出してしまう事態を防止することができ、固定時における外観の向上やはみ出したことによる緩み防止等の効果を一層顕著に発揮することができる。
さらに、折り曲げ加工により基礎部材や押さえ部材を成形しているとともに、上述の如くして凹面を形成したり、基礎部材の天井部又は押さえ部材の底部の何れか他方を切り欠いて形成した舌片を曲げ起こすことによって押さえ爪を成形しているため、基礎部材や押さえ部材を容易且つ安価に製造することができる。
加えて、請求項２に記載の発明によれば、押さえ爪の先端面に、凹面状の押さえ面を形成し、テンションメンバを押さえ面と凹面とで挟み込んで固定可能としているため、一般的に周面が円周曲面であるテンションメンバを４点で挟み込んで固定することができ、従来よりも固定を安定且つ確実なものとすることができる。
【図面の簡単な説明】
【０００８】
【図１】テンションメンバ固定具を上方から示した説明図である。
【図２】テンションメンバ固定具を側方から示した説明図である。
【図３】テンションメンバ固定具によりテンションメンバを固定した状態を正面側から示した説明図である。
【図４】（ａ）は、基礎部材を上方から示した説明図であり、（ｂ）は、押さえ部材を下方から示した説明図である。
【図５】テンションメンバ固定具の変更例を示した説明図である。
【発明を実施するための形態】
【０００９】
以下、本発明の一実施形態となるテンションメンバ固定具について、図面にもとづき詳細に説明する。
【００１０】
図１は、テンションメンバ固定具１を上方から示した説明図であり、図２は、テンションメンバ固定具１を側方から示した説明図である。図３は、テンションメンバ固定具１によりテンションメンバ２を固定した状態を正面側から示した説明図である。図４の（ａ）は、基礎部材１１を上方から示した説明図であり、（ｂ）は、押さえ部材１２を下方から示した説明図である。尚、図１や図４の左右方向をテンションメンバ固定具１や各部材の前後方向、上下方向を左右方向、表裏方向を上下方向とする。
テンションメンバ固定具１は、図示しない光成端箱内において光ケーブルの終端から引き出されたテンションメンバ２を固定するための部材であって、光成端箱内の内面に固定される基礎部材１１と、基礎部材１１に該基礎部材１１側へスライド可能に取り付けられ、テンションメンバ２を基礎部材１１上で固定するための押さえ部材１２とからなる。
【００１１】
基礎部材１１は、前後方向に長い帯状の金属板を折り曲げてなるものであって、下方に開口する略コ字状に折り曲げられた固定部１３と、固定部１３の前後両端を夫々前後で外方に折り曲げてなるフランジ部１４、１４とを有しており、各フランジ部１４には、基礎部材１１を光成端箱内の内面にネジ止めするための固定孔１５が穿設されている。また、固定部１３は、対向状に上方へ曲げ起こされた一対の壁部１３ａ、１３ａと、壁部１３ａ、１３ａ同士の上端間をつなぐ天井部１３ｂとからなり、天井部１３ｂの左右方向で略中央となる位置には、天井部１３ｂの前後方向で全域にわたってスリット１６が開設されている。そして、スリット１６内に露出する壁部１３ａ、１３ａの頂面（壁部の端面）は、下方へ正面視逆三角形状に凹む凹面１７、１７として形成されている。また、天井部１３ｂのスリット１６を挟んだ左右両側には、基礎部材１１に押さえ部材１２を取り付けるためのネジ孔１８、１８が設けられている。
【００１２】
一方、押さえ部材１２は、前後方向に長い帯状の金属板を上方に開口する略コ字状に折り曲げてなるものであって、対向状に上方へ曲げ起こされた一対の壁部１９、１９と壁部１９、１９同士の下端間をつなぐ底部２０とを有している。そして、各壁部１９の下端縁における左右方向での略中央位置からは、押さえ爪２１が下方へ突設されている。各押さえ爪２１は、底部２０をコ字状に切り欠いて形成された舌片を下方へ曲げ起こすことによって成形されており、押さえ爪２１の先端面（下面）は、上方へ正面視三角形状に凹む凹面状の押さえ面２２とされている。また、底部２０の左右両側部で、押さえ爪２１、２１を成形したことにより形成されたスリット２３を挟んだ位置には、押さえ部材１２を基礎部材１１に取り付けるための取付孔２４、２４が設けられている。尚、押さえ爪２１の左右方向での幅は、スリット１６の左右幅以下となっており、基礎部材１１に取り付けられた押さえ部材１２を基礎部材１１側へ近づけた際、押さえ爪２１の先端部は、スリット１６内へ嵌入して凹面１７に近接可能となっている。
【００１３】
ここで、上記基礎部材１１と押さえ部材１２とからなるテンションメンバ固定具１を用いて、テンションメンバ２を固定する方法について説明する。
まず、基礎部材１１の天井部１３ｂに対し、押さえ用ネジ３２、３２を取付孔２４、２４を介してネジ孔１８、１８へと螺入させることにより、基礎部材１１の上方から押さえ部材１２を基礎部材１１に対してスライド可能に取り付けて、テンションメンバ固定具１を組み立てる。このとき、基礎部材１１と押さえ部材１２との間には十分な間隔を空けておく。次に、固定孔１５、１５へ固定ネジ３１、３１を挿通させて、テンションメンバ固定具１を光成端箱内の所定の位置に固定する。
【００１４】
そして、上述したように固定された状態にあるテンションメンバ固定具１に対し、光ケーブルの終端においてケーブル本体から引き出したテンションメンバ２を、前後方向において基礎部材１１と押さえ部材１２との間に挿通させ、壁部１３ａ、１３ａに架け渡してスリット１６内の凹面１７、１７上に載置する。それから、押さえ用ネジ３２、３２を更に螺入させることにより、押さえ部材１２を基礎部材１１側へスライドさせ、各押さえ爪２１の押さえ面２２と凹面１７とでテンションメンバ２を挟み込めば、テンションメンバ２はテンションメンバ固定具１に固定される。
【００１５】
以上のような構成を有するテンションメンバ固定具１によれば、基礎部材１１の上方に押さえ部材１２をスライド可能に取り付けており、基礎部材１１上に載置されたテンションメンバ２を、基礎部材１１と基礎部材１１側へスライドさせた押さえ部材１２とにより挟み込んで固定可能としている。そのため、テンションメンバ２を固定するに際して、従来の如くネジの回転方向への負荷がテンションメンバ２にかかったりすることがなく、テンションメンバ２がほつれたりしない。したがって、テンションメンバ２を固定した状態の外観がよい上、ほつれたことにより固定が緩んでしまう等といった事態の発生を防止することができる。
【００１６】
また、基礎部材１１の天井部１３ｂに、前後方向で天井部１３ｂの全域にわたりスリット１６を設けるとともに、スリット１６内に露出する壁部１３ａ、１３ａの頂面を、下方へ正面視逆三角形状に凹む凹面１７、１７としており、スリット１６内へ嵌入させて凹面１７、１７上へ載置した状態にあるテンションメンバ２を押さえ爪２１の先端面と凹面１７、１７とで挟み込んで固定するように構成している。したがって、スリット１６や凹面１７によって、押さえ爪２１により押さえ付けられたことで変形したテンションメンバ２が押さえ爪２１の先端面から左右へ大きくはみ出してしまう事態を防止することができ、固定時における外観の向上やはみ出したことによる緩み防止等の効果を一層顕著に発揮することができる。
さらに、折り曲げ加工により基礎部材１１や押さえ部材１２を成形するとともに、上述の如くして凹面１７を設けたり、底部２０をコ字状に切り欠いて形成された舌片を下方へ曲げ起こすことによって押さえ爪２１を成形しているため、基礎部材１１や押さえ部材１２を容易且つ安価に製造することができる。
加えて、押さえ爪２１の先端面を上方へ正面視三角形状に凹む押さえ面２２としているため、一般的に周面が円周曲面であるテンションメンバ２を４点で挟み込んで固定することができ、従来よりも固定を安定且つ確実なものとすることができる。
【００１７】
なお、本発明に係るテンションメンバ固定具は、上記実施形態の態様に何ら限定されるものではなく、基礎部材や押さえ部材の構成について、必要に応じて適宜変更することができる。
【００１８】
たとえば、小径のテンションメンバ３２を固定するために、図５に示すようなテンションメンバ固定具３１としてもよい。すなわち、テンションメンバ固定具３１では、スリット１６内に露出した壁部１３ａ、１３ａの頂面全面を凹面１７とするかわりに、頂面の中央部にテンションメンバ３２の周面の一部が嵌入可能な凹溝３３を形成している。また、押さえ爪２１の先端面全面を押さえ面２２とするかわりに、先端面の中央部にテンションメンバ３２の周面の一部が嵌入可能な押さえ溝３４を形成している。該構成を採用することにより、小径なテンションメンバ３２であっても、ほつれさせたりすることなく確実に固定することができる。尚、図５において、上記実施形態と同じ構成要素については、同じ符号を付している。
【００１９】
また、上記実施形態では、テンションメンバ固定具１を光成端箱内に固定するにあたってネジ止めするように構成している（すなわち、フランジ部１４や固定孔１５を設けている）が、テンションメンバ固定具１の固定に係る構成は適宜変更可能であって、基礎部材にテンションメンバ固定具１を固定するための係止爪を設ける等の構成を採用しても何ら問題はない。
さらに、テンションメンバ２を固定するに際して、上記実施形態ではテンションメンバ固定具１を組み立てて、光成端箱内へ固定した後に、テンションメンバ２を基礎部材１１上に載置するという方法を採用しているが、まず基礎部材１１のみを光成端箱内へ固定し、該基礎部材１１上にテンションメンバ２を載置した後に、押さえ部材１２を基礎部材１１に取り付ける（テンションメンバ固定具１を組み立てながらテンションメンバ２を固定する）ようにしてもよい。
【００２０】
さらにまた、上記実施形態では、基礎部材１１にスリット１６及び凹面１７を、押さえ部材１２側に押さえ爪２１を夫々設けているが、該形態とは逆に、基礎部材１１の天井部１３ｂに上方へ突出する押さえ爪を、押さえ部材１２の底部２０にスリット及び上方へ凹む凹面を夫々形成し、押さえ爪の先端と凹面とでテンションメンバを挟み込んで固定するように構成することも可能である。
またさらに、上記実施形態では押さえ用ネジ３２、３２を螺入させることによりスライドさせる構成を採用しているものの、該スライドに係る構成についてもそのような構成に何ら限定されることはなく、柱状のガイド突起を基礎部材又は押さえ部材の何れか一方に突設し、他方にガイド突起を挿通可能なガイド孔を穿設するとともに、バネ等の付勢手段により押さえ部材を基礎部材側へ付勢するような他の構成を採用することも可能である。
加えて、本発明に係るテンションメンバ固定具を利用して、光ケーブルのケーブル本体を固定することも可能である。
【符号の説明】
【００２１】
１、３１・・テンションメンバ固定具、２、３２・・テンションメンバ、１１・・基礎部材、１２・・押さえ部材、１３・・固定部、１３ａ・・壁部（第１壁部）、１３ｂ・・天井部、１４・・フランジ部、１５・・固定孔、１６・・スリット、１７・・凹面、１８・・ネジ孔、１９・・壁部（第２壁部）、２０・・底部、２１・・押さえ爪、２２・・押さえ面、２３・・スリット、２４・・取付孔、３３・・凹溝（凹面）、３４・・押さえ溝（押さえ面）。
【図１】
0005908219.tif 000002
【図２】
0005908219.tif 000003
【図３】
0005908219.tif 000004
【図４】
0005908219.tif 000005
【図５】
0005908219.tif 000006